(57)【要約】【課題】バックライト装置の基板および光源の加熱を防止できる発光装置を提供する。【解決手段】発光装置１０は、基板１１と、光源１２と、冷却部材１３とを含む。冷却部材１３は、基板１１に接して、基板１１から熱を吸収する吸熱部１４と、吸熱部１４が吸収した熱を外部へ放散する放熱部１５とを含み、放熱部１５は通気路１６と両端部の通気口１６ａ、１６ｂを有する。基板１１の発熱は吸熱部１４が吸収し、放熱部１５へ伝達して通気路１６内の空気を加熱する。通気路１６は貫通方向が鉛直方向で直線状であり、通気路１６内に流通抵抗がないから、昇温して軽くなった空気が通気路１６内に上昇気流を生じさせ、煙突効果によって、下から上向きの空気の流動を発生させる。これによって持続的に放熱部１５の熱が外部へ放散される結果、基板１１と光源１２とを冷却して、過熱を防止する。【選択図】  図１
2014175265.tif 000002
【特許請求の範囲】
【請求項１】
表示装置を構成する表示パネルの背面側に配設される導光板の側端面に光を投射して、前記表示パネルを背面側から光照射するための発光装置であって、
前記導光板の側端面に近接して配置され、該側端面の長手方向に沿う方向を長手方向とする基板と、
前記基板の前記導光板に面する一方面に設けられる光源と、
前記基板の前記一方面とは反対側の他方面に接して設けられ、前記基板の長手方向に延びる冷却部材とを含み、
前記冷却部材は、
前記他方面に接して前記基板の熱を吸収する吸熱部と、
前記吸熱部に一体に設けられ、前記吸熱部が吸収した熱を外部へ放散する放熱部であって、前記基板の長手方向に沿う方向に貫通する通気路、および、該通気路の両端部に形成され該通気路の貫通方向に開口する通気口を有する放熱部とを備えることを特徴とする発光装置。
【請求項２】
前記表示装置が、前記表示パネルおよび導光板を起立させた状態において、前記基板が、前記導光板の鉛直方向に沿う側端面に近接して配置されることを特徴とする請求項１に記載の発光装置。
【請求項３】
前記放熱部は、貫通方向が互いに平行な複数の通気路を有することを特徴とする請求項１または２に記載の発光装置。
【請求項４】
前記放熱部は、前記通気路の貫通方向を長手方向とする板状の放熱フィンを、前記通気路の内側面にさらに有することを特徴とする請求項１〜３のいずれか１つに記載の発光装置。
【請求項５】
前記放熱部は、第２の放熱フィンを外側面にさらに有することを特徴とする請求項１〜４のいずれか１つに記載の発光装置。
【請求項６】
前記放熱部は、前記導光板の背面を覆う背面カバー部が一体に形成されていることを特徴とする請求項１〜５のいずれか１つに記載の発光装置。
【請求項７】
前記吸熱部は、前記表示パネルの端縁部前面を押さえる押さえ部が一体に形成されていることを特徴とする請求項１〜６のいずれか１つに記載の発光装置。
【発明の詳細な説明】
【技術分野】
【０００１】
本発明は、液晶表示装置に用いられる表示パネルのバックライト装置を構成する発光装置に関する。
【背景技術】
【０００２】
液晶テレビや液晶ディスプレイなどの液晶表示装置の表示パネルを背面側から光照射するバックライト装置には、表示パネルの背面側全体に光源となる発光装置を配設する直下型と、表示パネルの背面に配置した導光板の端縁側に発光装置を配設するエッジライト型とがある。エッジライト型の液晶表示装置は、直下型に比べて、厚みを薄くできる利点があるため、近時では、エッジライト型のバックライト装置を採用した液晶表示装置が主流になりつつある。また光源とする発光装置については、冷陰極管もあるが、消費電力の小さいＬＥＤ（Light Emitting Diode  発光ダイオード）が利用される傾向にある。
【０００３】
ところで、表示パネルの表示面の輝度を高めるには、発光装置を高輝度で発光させることが必要となるが、エッジライト型バックライト装置では、導光板の端縁側に発光装置を集中させて配設しているため、高輝度で発光させたときに発光装置が高温になるおそれがある。したがって、発光装置にＬＥＤを用いた場合、ＬＥＤは耐熱性が高くないので、高輝度発光の際に高温になることによって、光出力の低下による輝度の不均一化、耐用時間の短縮化、破損などの問題が生じるおそれがある。特に、屋外設置型の液晶表示装置は、屋内設置型の液晶表示装置に比べて５〜１０倍の明るさが必要とされる場合があり、そのため、発光装置を高密度で配設するとともに、通電する電気の電流値を大きくして発光装置を高輝度発光させているので、前記の問題点が生じやすい。そこで従来、液晶表示装置に適用されるエッジライト型バックライト装置の発光装置の過熱防止手段として、たとえば特許文献１に記載されるような冷却装置が提案されている。
【０００４】
図１１は、特許文献１に記載されるディスプレイ装置Ｄの発光装置５の過熱を防止する冷却装置１を示すものである。ＬＥＤ３と基板４とから成る発光装置５は、表示パネル２の下方側の側端面に近接して配設される。冷却装置１は、基板４のＬＥＤ３が搭載されるＬＥＤ実装面とは反対側の面に接して設けられる中空箱状のヒートシンク６と、このヒートシンク６に取付けられる複数のファン７とから成っている。
【０００５】
ヒートシンク６は、アルミニウムや銅などの金属で製作され、基板４と接する基板搭載面６ａに対し垂直な面のうち、表示パネル２の表示面とは反対側に面する背面部６ｂに開口を有している。すなわち、背面部６ｂの中央に、空気の流入口９が形成され、背面部６ｂの左右両端側に空気の排出口が形成され、この左右の排出口それぞれに、ヒートシンク６内から空気を吸い出す排気用のファン７が取付けられている。ヒートシンク６の長手方向の端面６ｃは、風漏れ防止カバーによって閉塞されている。またヒートシンク６の内部には、基板搭載面６ａに対し平行に形成された複数のフィン８が設けられている。
【０００６】
特許文献１の冷却装置１は、かかる構成に基づき、発光装置５の基板４から発生する熱を、これに接するヒートシンク６が吸収する。そしてファン７を運転することによって、空気が、ヒートシンク６の中央部に設けられた流入口９から矢印Ｙ１の方向に流入し、矢印Ｙ２の二つの方向に分岐してヒートシンク６内を流動する間に、ヒートシンク６から熱を吸収したのち、両端部の二つの排出口から、矢印Ｙ３の方向に外部へ排出される。これにより、温度が高くなりやすい中央領域のＬＥＤ３を、新鮮で温度の低い空気で冷却することができ、また、空気が左右へ均一に流れていくので、基板４を均一に冷却して、ＬＥＤ３の温度上昇を安定的に防止でき、高輝度発光させても、輝度むらの少ないディスプレイ装置Ｄを提供できるとされている。
【先行技術文献】
【特許文献】
【０００７】
【特許文献１】特開２００７−１０１７６６号公報
【発明の概要】
【発明が解決しようとする課題】
【０００８】
特許文献１に記載の冷却装置１は、ヒートシンク６の長手方向の両端面が閉塞されており、空気がヒートシンク６内に吸引される矢印Ｙ１方向、空気がヒートシンク６内を流動する矢印Ｙ２方向、および、空気がヒートシンク６から排出される矢印Ｙ３方向がいずれも互いに異なっている。つまり空気の流動経路が直線的ではない。このため、空気が非直線状の経路を流動するときに、ヒートシンク６の内壁面から抵抗を受けるから、空気の流れが悪い。すなわち、特許文献１の冷却装置１は、ファン７の排気能力を低下させる構造となっているため、ヒートシンク６が充分な冷却効果をあげるには、ファン７の出力を高める必要があり、それだけエネルギ消費量が増え、ディスプレイ装置Ｄなどの運転コストを増大させる問題がある。
【０００９】
また特許文献１のヒートシンク６は、空気の流入口９および排出口以外に開口部を持たない構造となっているため、内部の清掃が難しいという問題がある。
【００１０】
本発明の目的は、前記従来の問題を解決できる発光装置を提供することである。
【課題を解決するための手段】
【００１１】
本発明は、表示装置を構成する表示パネルの背面側に配設される導光板の側端面に光を投射して、前記表示パネルを背面側から光照射するための発光装置であって、
前記導光板の側端面に近接して配置され、該側端面の長手方向に沿う方向を長手方向とする基板と、
前記基板の前記導光板に面する一方面に設けられる光源と、
前記基板の前記一方面とは反対側の他方面に接して設けられ、前記基板の長手方向に延びる冷却部材とを含み、
前記冷却部材は、
前記他方面に接して前記基板の熱を吸収する吸熱部と、
前記吸熱部に一体に設けられ、前記吸熱部が吸収した熱を外部へ放散する放熱部であって、前記基板の長手方向に沿う方向に貫通する通気路、および、該通気路の両端部に形成され該通気路の貫通方向に開口する通気口を有する放熱部とを備えることを特徴とする発光装置である。
【００１２】
また本発明は、前記表示装置が、前記表示パネルおよび導光板を起立させた状態において、前記基板が、前記導光板の鉛直方向に沿う側端面に近接して配置されることを特徴とする。
【００１３】
また本発明は、前記放熱部が、貫通方向が互いに平行な複数の通気路を有することを特徴とする。
【００１４】
また本発明は、前記放熱部が、前記通気路の貫通方向を長手方向とする板状の放熱フィンを、前記通気路の内側面にさらに有することを特徴とする。
【００１５】
また本発明は、前記放熱部が、第２の放熱フィンを外側面にさらに有することを特徴とする。
【００１６】
また本発明は、前記放熱部に、前記導光板の背面を覆う背面カバー部が一体に形成されていることを特徴とする。
【００１７】
また本発明は、前記吸熱部に、前記表示パネルの端縁部前面を押さえる押さえ部が一体に形成されていることを特徴とする。
【発明の効果】
【００１８】
本発明によれば、導光板の側端面に近接して配置される発光装置の冷却部材が、基板に接する吸熱部と、吸熱部に一体に設けられ通気路を有する放熱部とを備えるので、吸熱部が基板から発生する熱を吸収し、この熱が放熱部へ伝達され、放熱部は、この熱を通気路内の空気に伝達する。そして、ファンなどを用いて通気路内の空気を流動させ、加熱された空気を放出することによって、放熱部から熱を持続的に奪う。このように、基板から熱を吸熱部で吸収し、この熱を放熱部から外部へ放散することによって、発光装置の過熱を防止することができる。
【００１９】
本発明では、通気路の貫通方向が基板の長手方向に沿う方向となっており、通気路の両端部に通気口が開口しているから、空気が通気路内を流動するときの抵抗は小さい。しかも、通気路内部には電子機器や電子回路などがないので、通気口を覆うフィルタが不要である。このように、本発明の通気路は、通気抵抗となる要素を持たないから、ファンなどで空気を流動させる場合に、通気路内での空気の流れが良好であり、ファンの出力が小さくても、効率良く放熱部の熱を外部へ放散して、優れた冷却効果を発揮する。よって、エネルギ消費が抑制され、液晶表示装置などの運転コストの低減化を図れる。
【００２０】
また、放熱部の通気路は、長手方向に貫通し、両端部に開口を有する構成であるから、内部の清掃が容易である。
【００２１】
また本発明によれば、表示装置が表示パネルおよび導光板を起立させた状態において、導光板の鉛直方向に沿う側端面に近接して基板が配置されるから、放熱部の通気路の貫通方向が、鉛直方向または鉛直に近い方向となる。したがって、通気路内の空気は、放熱部からの熱で暖められることによって比重が小さくなるため上昇する。その結果、通気路内に上昇気流が自然に発生し、煙突効果によって、ファンを用いなくても通気路内の空気を流動させることが可能となる。したがって、放熱部を冷却するのにファンが不要になるから、エネルギ消費量を増加させることなく、発光装置の過熱防止を図ることができる。
【００２２】
また本発明によれば、放熱部が、貫通方向が互いに平行な複数の通気路を有するので、放熱部の単位体積あたりの表面積（比表面積）が拡大し、放熱効果が向上する。また、通気路の形成個数を増やし、通気路１つあたりの断面積を小さくすることによって、放熱部の表面積を減じることなく、放熱部の厚み寸法を小さくして、液晶表示装置などの薄型化を図ることができる。
【００２３】
また本発明によれば、放熱部が、通気路の貫通方向を長手方向とする板状の放熱フィンを通気路の内側面にさらに有するので、通気路の表面積が拡大し、放熱効果が向上する。
【００２４】
また本発明によれば、放熱部が、第２の放熱フィンを外側面にさらに有するので、放熱部の外表面積が拡大し、放熱効果が向上する。
【００２５】
また本発明によれば、放熱部に、導光板の背面を覆う背面カバー部が一体に形成されているので、放熱部の熱容量か増大し、冷却能力を向上させることができる。
【００２６】
また本発明によれば、吸熱部に、表示パネルの端縁部前面を押さえる押さえ部が一体に形成されているので、吸熱部の熱容量が増大し、冷却能力を向上させることができる。
【図面の簡単な説明】
【００２７】
【図１】本発明の第１の実施形態に係る発光装置１０を適用した液晶表示装置２０の背面側から見た斜視図である。
【図２】本発明の第１の実施形態に係る発光装置１０を適用した液晶表示装置２０の要部を平面視した断面図である。
【図３】本発明の第１の実施形態に係る発光装置１０の要部を示す斜視図である。
【図４】本発明の第１の実施形態に係る発光装置１０を適用した液晶表示装置２０に、上面キャビネット２７と背面キャビネット２８とを装着した状態の背面側から見た斜視図である。
【図５】本発明の第２の実施形態に係るものであって、図５（Ａ）は、本発明に係る発光装置１０１を適用した液晶表示装置２０の要部を平面視した断面図、図５（Ｂ）は、別態様の発光装置１０２を適用した液晶表示装置２０の要部を平面視した断面図である。
【図６】本発明の第３の実施形態に係るものであって、図６（Ａ）は、発光装置１０３の概略構成を示す平面図、図６（Ｂ）は、別態様の発光装置１０４の概略構成を示す平面図である。
【図７】本発明の第４の実施形態に係るものであって、図７（Ａ）は、吸熱部１４に押さえ部１４ａを一体に形成した発光装置１０５を適用した液晶表示装置２０の要部を平面視した断面図、図７（Ｂ）は、放熱部１５に背面カバー部１５ａを一体に形成した発光装置１０６を適用した液晶表示装置２０の要部を平面視した断面図である。
【図８】本発明の第５の実施形態に係るものであって、図８（Ａ）〜（Ｃ）は、放熱部１５の平面視形状がそれぞれ異なる発光装置１０７〜１０９を適用した液晶表示装置２０の要部を平面視した断面図である。
【図９】本発明の第６の実施形態に係るものであって、図９（Ａ）は、鉛直方向に配置した冷却部材１３の放熱部１５にファン４０を設ける状況を示す液晶表示装置２０の背面側から見た斜視図、図９（Ｂ）は、放熱部１５にファン４０を設けた発光装置１０を適用した液晶表示装置２０の要部の平面図である。
【図１０】本発明の第７の実施形態に係るものであって、水平方向に配置した冷却部材１３の放熱部１５にファン４０を設ける状況を示す液晶表示装置２０の背面側から見た斜視図である。
【図１１】特許文献１に記載される従来のディスプレイ装置Ｄを示す背面側から見た斜視図である。
【発明を実施するための形態】
【００２８】
（第１の実施形態）
以下、本発明を、表示装置である液晶表示装置２０のエッジライト型バックライトを構成する発光装置１０に適用した実施形態を、図面を用いて説明する。図１〜４は、本発明の第１の実施形態に係るものであって、図１は、液晶表示装置２０の背面側から見た斜視図、図２は、液晶表示装置２０の概略構成を示す要部を平面視した断面図、図３は、発光装置１０の要部を示す斜視図、図４は液晶表示装置２０に上面キャビネット２７と背面キャビネット２８とを装着した状態を背面側から見た斜視図である。なお以下の説明において、液晶表示装置２０の表示面側に相当する表面を「前面」と言い、これに対向する反対側の表面を「背面」と言うものとする。
【００２９】
本実施形態の液晶表示装置２０は、液晶表示素子などを含む表示パネル２１、表示パネル２１の背面側に配設される偏光シートなどの光学シート２２、光学シート２２の背面側に配設される導光板２３、導光板２３の背面側を覆う背面カバー２４、導光板２３の側端面２３ａに近接して配置される発光装置１０、表示パネル２１および光学シート２２の端縁部背面と、発光装置１０の前端部を支持する枠部材２５、表示パネル２１の端縁部前面と枠部材２５の側面とを覆う押さえ部材２６を備えて成る。
【００３０】
導光板２３と発光装置１０とによって、エッジライト型のバックライト装置が構成される。図示は省略するが、導光板２３の背面に、入射した光を表示パネル２１側へ反射する反射シートを設けても良い。
【００３１】
背面カバー２４は、バックライトシャーシとも呼ばれるもので、導光板２３の背面側を保護するとともに、液晶表示装置２０を動作させるのに必要な電源回路３０や電気的制御を行う制御回路３１などが配設される。導光板２３の背面と背面カバー２４との間には図示しないスペーサが配置され、スペーサによって、背面カバー２４と導光板２３とは離隔される。
【００３２】
枠部材２５は、表示パネル２１と導光板２３と発光装置１０との相互の位置関係を保持するものであるから、剛性と強度とが求められるとともに、冷却部材１３と接するので、冷却部材１３が吸収した熱を表示パネル２１、光学シート２２および導光板２３へ伝えない断熱性を有することが望ましく、そのため、たとえばＰＣ（ポリカーボネート）樹脂、ＡＢＳ（アクリロニトリル−ブタジエン−スチレン）樹脂、または、これらの樹脂にガラス繊維を添加したガラス繊維強化樹脂などで製作される。なお枠部材２５は、導光板２３の側端面２３ａから射出する光や、発光装置１０から射出された光が、表示パネル２１の前面側へ漏れ出るのを防いでいる。
【００３３】
押さえ部材２６は、表示パネル２１の端縁部前面を覆って保護するとともに、ここから光が漏れ出るのを防いでいる。
【００３４】
本実施形態の発光装置１０は、導光板２３の側端面２３ａの長手方向に沿う方向を長手方向とする基板１１と、基板１１の導光板２３に面する一方面１１ａに設けられる光源１２と、基板１１の一方面１１ａとは反対側の他方面１１ｂに接して設けられ、基板１１の長手方向に延びる冷却部材１３とを含んでいる。本実施形態では、表示パネル２１および導光板２３が起立状態に配置され、基板１１が、導光板２３の鉛直方向に沿う側端面２３ａに近接して配置される。したがって、基板１１および冷却部材１３は、長手方向が鉛直方向となるように配設される。
【００３５】
光源１２はＬＥＤから成る。ＬＥＤは、白色の単色ＬＥＤでも、赤、緑、青の３色のＬＥＤを混成して白色を実現するものであってもよい。本実施形態では、多数の光源１２を１つの基板１１上に搭載したものを用いているが、１個または少数個の光源１２を配設した基板１１の複数を、導光板２３の側端面２３ａの長手方向に沿って並べたものであってもよい。
【００３６】
冷却部材１３は、基板１１の他方面１１ｂに接する吸熱部１４と、吸熱部１４に一体に設けられる放熱部１５とを備える。本実施形態では、吸熱部１４が長尺の板状であり、放熱部１５が角筒状である。放熱部１５は、基板１１の長手方向に沿う方向に貫通する通気路１６と、通気路１６の両端部に形成され、通気路１６の貫通方向に開口する通気口１６ａ，１６ｂを有している。本実施形態では、冷却部材１３の長手方向が鉛直方向に設定されているから、通気路１６の貫通方向は鉛直方向であり、かつ直線状である。また放熱部１５および通気口１６ａ，１６ｂの平面視形状は、長方形または正方形である。なお放熱部１５は、吸熱部１４に比べて大きい熱容量を備えるとともに、表面積が外気への放熱効果を充分発揮できる大きさとなるように設計される。
【００３７】
冷却部材１３は、熱伝導性に優れ、剛性および耐腐食性を有する材質で製作されることが望ましい。このような材質として、アルミニウム、アルミニウム合金、銅、銅合金などの金属や、炭素繊維や金属粒子を配合した合成樹脂などが挙げられる。本実施形態のように、通気路１６の貫通方向が直線状の場合、冷却部材１３は、押出し成形法で製造することが可能である。また、冷却部材１３を剛性の高い材質で製作し、かつ放熱部１５を角筒状とすることによって、特許文献１のヒートシンク６に比べると、表示パネル２１の背面側の支持強度をはるかに高めることができるので、大型の液晶表示装置２０の平面度を保つことが容易になる。また、場合によっては、従来用いられている補強部材を省略することが可能となる。
【００３８】
本実施形態の冷却部材１３は、板状の吸熱部１４を、放熱部１５から突出させた形状に形成されているため、吸熱部１４を導光板２３と枠部材２５との間に配置し、放熱部１５を導光板２３の背面側に配置することによって、冷却部材１３が、液晶表示装置２０の左右方向の幅寸法を増大させるのを避けることができる。
【００３９】
本実施形態の冷却部材１３は電子部品も電気回路も備えないから、通気路１６内に埃などが侵入しても、電気的短絡などを起こすおそれがない。そのため、図４に示すように、上面キャビネット２７および背面キャビネット２８を装着して、表示パネル２１や発光装置１０の上面および背面を覆うときに、上面キャビネット２７に、放熱部１５の上端部を露出させて、通気路１６の通気口１６ａを外気に直接臨ませることができる。これによって、空気が通気路１６内へ流入し、また通気路１６から流出する際に抵抗を与えないから、空気の流動が容易になる。さらに、通気口１６ａ、１６ｂの開口面積を大きくして、空気の流入および流出を一層容易にすることも可能である。
【００４０】
前記のごとく構成される本実施形態に係る発光装置１０を備える液晶表示装置２０は、以下に述べる作用および効果を発揮する。液晶表示装置２０の駆動にともなって、発光装置１０の基板１１および光源１２が発熱すると、冷却部材１３の吸熱部１４が、基板１１から熱を吸収し、この熱を放熱部１５へ伝達する。吸熱部１４から放熱部１５へ伝達される熱は、通気路１６内の空気を加熱する。空気は、加熱されて昇温すると、膨張して比重が小さくなる。通気路１６は、貫通方向が鉛直方向で、かつ直線状に設定されている。また通気路１６内には、空気に流通抵抗を与えるような構造がない。したがって、比重が小さくなって軽くなった空気が通気路１６内を上昇して、上端の通気口１６ａから外部へ放出される結果、通気路１６内に容易に上昇気流が生じ、煙突効果によって、下から上向きの空気の流動が自然に発生する。そして、空気が通気路１６内を流動することによって、持続的に放熱部１５の熱が奪われ、外部へ放散される。基板１１の熱は、吸熱部１４に吸収され、放熱部１５へ伝達されるから、放熱部１５の熱を外部へ放散することによって、基板１１が冷却され、基板１１上の光源１２も冷却される。
【００４１】
このように本実施形態に係る発光装置１０は、基板１１および光源１２の過熱を防止できるから、エッジライト型バックライト装置を採用する高輝度タイプの液晶表示装置２０において、発光装置１０が過熱により破損したり機能低下したりする問題を解決することができる。それとともに、発光装置１０の発熱が、導光板２３、光学シート２２、表示パネル２１に悪影響を及ぼすのを防止して、表示パネル２１の表示品位を低下させる問題を解消できる。しかも本実施形態の発光装置１０は、ファンを用いない簡単な構造で、基板１１および光源１２の過熱を防止するから、製造コストおよび運転コストの増大を抑えることができる。さらに、通気口１６ａを外部に露出させることができるので、清掃やメンテナンスが容易になる利点が得られる。
【００４２】
ところで通気路１６内の空気の流動は、放熱部１５が周囲の雰囲気温度よりも高温になっている間、継続する。また、通気路１６内の空気と、放熱部１５周囲の空気との温度差が大きいほど、通気路１６内を流動する空気の流速が増大する。したがって、放熱部１５が高温になるほど、通気路１６内の空気の昇温幅が大きくなり、通気路１６内での空気の流速が増して、放熱部１５の冷却力が増大する。すなわち本実施形態の発光装置１０は、基板１１の発熱が大きくなるほど、冷却力が増大する機能を有している。
【００４３】
また本実施形態は、発光装置１０を液晶表示装置２０の左右両端側に配設して、発光装置１０が発生させる熱を左右両端側で外部へ放散させる構成としたので、左右の発光装置１０間に位置し、背面カバー２４に装着されている電源回路３０や制御回路３１に、発光装置１０の発熱が影響しない。よって、電源回路３０および制御回路３１の雰囲気温度が上昇するのを抑えて、これらの動作を安定化させる効果を発揮する。
【００４４】
（第２の実施形態）
図５（Ａ）は、本発明の第２の実施形態に係る発光装置１０１を適用した液晶表示装置２０の要部を平面視した断面図、図５（Ｂ）は、別態様の発光装置１０２を適用した液晶表示装置２０の要部を平面視した断面図である。なお、後述する各実施形態において、前記第１の実施形態と共通する構成については、説明を省略する。
【００４５】
本実施形態の発光装置１０１，１０２は、冷却部材１３の放熱部１５に、貫通方向が互いに平行な複数の通気路１６を形成したところを特徴とする。図５（Ａ）に示す実施形態では、放熱部１５に、２つの平行な通気路１６が形成され、図５（Ｂ）に示す実施形態では、５つの平行な通気路１６が形成されている。
【００４６】
複数の通気路１６を形成することにより、通気路１６の１つあたりの断面積を小さくしても、通気路１６の必要な総表面積を確保できるから、放熱部１５の厚み寸法Ｔを小さくすることができる。また、通気路１６の形成個数を多くするほど、必要な表面積を確保して、放熱部１５の厚み寸法Ｔを小さくするのが容易である。よって、冷却部材１３の冷却能力を低下させることなく、薄型の液晶表示装置２０を提供することが可能となる。
【００４７】
なお、通気路１６を、断面積を小さくすることなく複数形成する場合は、放熱部１５の表面積が拡大するので、冷却部材１３の冷却能力を向上させる効果が発揮される。
【００４８】
（第３の実施形態）
図６（Ａ）は、本発明の第３の実施形態に係る発光装置１０３の概略構成を示す平面図、図６（Ｂ）は、別態様の発光装置１０４の概略構成を示す平面図である。本実施形態は、放熱部１５の放熱性能を高めることを目的とする。図６（Ａ）に示す実施形態は、通気路１６の内側面１６Ｓに、板状の放熱フィン１７を複数形成したものであり、図６（Ｂ）に示す実施形態は、放熱部１５の外側面１５Ｓに、第２の放熱フィン１８をさらに形成したものである。
【００４９】
通気路１６の内側面１６Ｓに形成する放熱フィン１７は、通気路１６内における空気の流動を阻害しないように、通気路１６の貫通方向を長手方向とする板状とするのが好ましい。放熱部１５の外側面１５Ｓに形成する第２の放熱フィン１８については、空気の流動性を考慮しなくてよいので、その形状は特に制限がなく、板状や棒状であってもよい。ただし、冷却部材１３を押出し成形法で製造する場合は、第２の放熱フィン１８も、長手方向に延びる形状とするのが好ましい。
【００５０】
放熱フィン１７および第２の放熱フィン１８の断面形状、幅寸法、形成間隔、形成個数などは、実施の状況に応じ適宜決定すればよい。図６の実施形態では、放熱フィン１７および第２の放熱フィン１８の平面断面を長方形状としたが、三角形状とすることも可能である。また、放熱フィン１７の内側面１６Ｓからの突出長さ、および、第２の放熱フィン１８の外側面１５Ｓからの突出長さは一定でなくてもよく、部分的または周期的に変化させてもよい。
【００５１】
このように、放熱部１５に放熱フィン１７または第２の放熱フィン１８を形成することによって、放熱部１５の表面積が拡大し、放熱性能を向上させることができる。また、放熱フィン１７または第２の放熱フィン１８を形成することによって、放熱部１５の比表面積が拡大するから、必要な放熱面積を得るための放熱部１５の平面視寸法を小さくすることが可能となる。
【００５２】
（第４の実施形態）
図７は、本発明の第４の実施形態に係るものであって、図７（Ａ）は、吸熱部１４に押さえ部１４ａを一体に形成した発光装置１０５を適用した液晶表示装置２０の要部を平面視した断面図、図７（Ｂ）は、放熱部１５に背面カバー部１５ａを一体に形成した発光装置１０６を適用した液晶表示装置２０の要部を平面視した断面図である。本実施形態では、放熱部１５の外側面１５Ｓおよび内側面１６Ｓに、放熱フィン１７および第２の放熱フィン１８を有する発光装置１０５，１０６を用いたが、放熱フィン１７および第２の放熱フィン１８の形成は任意であり、省略することが可能である。
【００５３】
図７（Ａ）に示す実施形態は、発光装置１０５の吸熱部１４に、表示パネル２１の側端縁前面と枠部材２５の前端面とを押さえる押さえ部１４ａを一体に形成したものである。かかる構成により、吸熱部１４の熱容量と表面積とが拡大するので、基板１１の熱を吸収する能力が向上する。
【００５４】
図７（Ｂ）に示す実施形態は、発光装置１０６の放熱部１５に、導光板２３の背面を保護する背面カバー部１５ａを一体に形成したものであり、これによって、放熱部１５の熱容量と表面積が拡大するから、放熱部１５の放熱能力が向上する。
【００５５】
（第５の実施形態）
図８は、本発明の第５の実施形態に係るものであって、図８（Ａ）〜（Ｃ）は、放熱部１５の平面視形状がそれぞれ異なる発光装置１０７〜１０９を適用した液晶表示装置２０の要部を平面視した断面図である。
【００５６】
図８（Ａ）に示す発光装置１０７は、放熱部１５の平面視形状を直角三角形とし、通気路１６の内側面に放熱フィン１７を形成したものである。図８（Ｂ）に示す発光装置１０８は、放熱部１５の平面視形状を半楕円形としたものである。図８（Ｃ）に示す発光装置１０９は、放熱部１５の平面視形状を４分の１円形あるいは４分の１楕円形としたものである。このように、本発明に係る発光装置１０，１０１〜１０９の放熱部１５および通気路１６の平面視形状は、実施の状況に応じて適宜変更することが可能である。
【００５７】
（第６の実施形態）
図９は、本発明の第６の実施形態に係るものであって、図９（Ａ）は、鉛直方向に配置した冷却部材１３の放熱部１５にファン４０を設ける状況を示す液晶表示装置２０の背面側から見た斜視図、図９（Ｂ）は、放熱部１５にファン４０を設けた発光装置１０を適用した液晶表示装置２０の要部の平面図である。
【００５８】
本実施形態は、鉛直方向に配置した冷却部材１３の放熱部１５の一方の通気口１６ａにファン４０を取付けて、通気路１６内の空気を強制的に流動させるように構成したものである。通気路１６の貫通方向は一直線状であり、内部に空気の流通抵抗となるような部材は存在しない。また、ファン４０を設けることによって、通気路１６内へ埃などが吸い込まれる可能性が高まるが、通気路１６内部に電気部品などが存在しないから、通気口にフィルタなどを装着する必要もない。よって、ファン４０によって通気路１６内の空気を効率よく流動させて、冷却能力を大幅に向上させることができる。しかも、通気路１６内の空気の流通抵抗は小さいから、低出力のファン４０を利用することができ、消費電力の増大を抑えることが可能である。
【００５９】
（第７の実施形態）
図１０は、本発明の第７の実施形態に係るものであって、水平方向に配置した冷却部材１３の放熱部１５にファン４０を設ける状況を示す液晶表示装置２０の背面側から見た斜視図である。
【００６０】
本実施形態は、発光装置１０が導光板２３の上下の側端面に近接させて配設され、これにともなって、図１０に示すように、冷却部材１３の放熱部１５が、長手方向を水平方向とするように配置される場合を対象とするものである。このように、冷却部材１３の長手方向が水平方向の場合でも、放熱部１５の一方の通気口１６ａにファン４０を取付けることによって、通気路１６の空気を効率よく流動させて、優れた冷却効果を発揮することが可能である。
【符号の説明】
【００６１】
１０  発光装置
１１  基板
１１ａ  一方面
１１ｂ  他方面
１２  光源
１３  冷却部材
１４  吸熱部
１４ａ  押さえ部
１５  放熱部
１５ａ  背面カバー部
１６  通気路
１６ａ  通気口
１６ｂ  通気口
１７  放熱フィン
１８  第２の放熱フィン
２０  液晶表示装置
２１  表示パネル
２２  光学シート
２３  導光板
２３ａ  側端面
２４  背面カバー
２５  枠部材
２６  押さえ部材
【図１】
2014175265.tif 000003
【図２】
2014175265.tif 000004
【図３】
2014175265.tif 000005
【図４】
2014175265.tif 000006
【図５】
2014175265.tif 000007
【図６】
2014175265.tif 000008
【図７】
2014175265.tif 000009
【図８】
2014175265.tif 000010
【図９】
2014175265.tif 000011
【図１０】
2014175265.tif 000012
【図１１】
2014175265.tif 000013